(57)【要約】【課題】正イオン及び負イオンの放出量を増加させることができ、室内の広範囲にわたって均一に正イオン及び負イオンを放出することが可能なイオン発生装置を提供する。【解決手段】イオン発生装置１は、互いが別の方向を向く正イオン用吹出口１２及び負イオン用吹出口２２を少なくとも１つずつ開口する本体筐体２と、正イオンを発生する正イオン発生部３３Ｐと、負イオンを発生する負イオン発生部３３Ｎと、正イオン用吹出口１２及び正イオン発生部３３Ｐを有する正イオン用送風ダクト１０と、負イオン用吹出口２２及び負イオン発生部３３Ｎを有する負イオン用送風ダクト２０と、正イオン用送風ダクト１０及び負イオン用送風ダクト２０に気流を流通させる送風ファン４と、正イオン用吹出口１２と負イオン用吹出口２２との位置を入れ替えるように本体筐体２を回転させる変位モータ３ｃと、を備える。【選択図】図２
2013191476.tif 000002
【特許請求の範囲】
【請求項１】
互いが別の方向を向く正イオン用吹出口及び負イオン用吹出口を少なくとも１つずつ開口する筐体と、
正電圧が印加される正放電電極の放電により正イオンを発生する正イオン発生部と、
負電圧が印加される負放電電極の放電により負イオンを発生する負イオン発生部と、
前記正イオン用吹出口及び前記正イオン発生部を有する正イオン用送風ダクトと、
前記負イオン用吹出口及び前記負イオン発生部を有する負イオン用送風ダクトと、
前記正イオン用送風ダクト及び前記負イオン用送風ダクトに気流を流通させる送風ファンと、
前記正イオン用吹出口と前記負イオン用吹出口との位置を入れ替えるように前記筐体を回転させる変位モータと、
を備えることを特徴とするイオン発生装置。
【請求項２】
複数組の対をなす前記正イオン用吹出口と前記負イオン用吹出口とを備え、
前記筐体の回転軸線を中心とする円上に前記複数組の前記正イオン用吹出口と前記負イオン用吹出口とを交互に配置したことを特徴とする請求項１に記載のイオン発生装置。
【請求項３】
前記正イオン用吹出口と前記負イオン用吹出口とが互いに反対方向を向くことを特徴とする請求項１または請求項２に記載のイオン発生装置。
【請求項４】
正イオンを含む気流と負イオンを含む気流とを個別に２個の送風ダクトに流通させ、
正イオンを含む気流と負イオンを含む気流とを互いに別の方向に向かって前記送風ダクトから放出させ、
正イオンを含む気流を放出する正イオン用吹出口と負イオンを含む気流を放出する負イオン用吹出口との位置を入れ替えるように前記正イオン用吹出口及び前記負イオン用吹出口を変位させる
ことを特徴とするイオン発生方法。
【発明の詳細な説明】
【技術分野】
【０００１】
本発明は、正イオン及び負イオンを発生させて空気中に放出するイオン発生装置及びイオン発生方法に関する。
【背景技術】
【０００２】
近年、放電によりイオンを発生させて空気中に放出するイオン発生装置が広く普及し、それに係る従来技術が特許文献１に開示されている。
【０００３】
特許文献１に記載された従来のイオン発生装置はハウジングと、このハウジング内に形成された２個のケーシングと、これら２個のケーシングいずれかに接続されてそのケーシングと連通する２個のダクトとを備えている。２個のケーシング及びダクト各々は下部側面に開口する吸込口と上面に開口する吹出口とを連通させている。
【０００４】
２個のケーシングの間にはモータが配置され、モータの共通の出力軸がケーシング各々に向かって突出している。共通の出力軸には２個のケーシング各々の内部に配置された羽根車に接続されて、シロッコファンの形態をなしている。モータを駆動させると羽根車が回転し、連通する２個のケーシング及びダクト各々に気流が流通する。
【０００５】
また、２個のダクト各々にはイオン発生器が配置されている。イオン発生器は正の高電圧が印加されるプラスイオン発生部と負の高電圧が印加されるマイナスイオン発生部とを備えている。プラスイオン発生部における放電により空気イオンから成る正イオンが発生し、マイナスイオン発生部における放電により空気イオンから成る負イオンが発生する。
【０００６】
そして、このイオン発生装置はハウジングの下方に回転台を備え、ハウジングがその回転台上部のテーブル上に設置されている。テーブルは平らに形成され、上下方向に延びる回転軸線を中心に回転する。すなわち、イオン発生装置はハウジング全体を上下方向に延びる回転軸線を中心に水平面内で回転させることができる。
【０００７】
上記従来のイオン発生装置は例えば室内の床面上に設置され、シロッコファンの駆動により吸込口を介して２個のケーシング内に室内の空気が取り込まれる。取り込まれた空気にはイオン発生器により発生させた正イオン及び負イオンが含まれ、ハウジング上面の吹出口から室内に放出される。そして、回転台の駆動によりイオンが含まれる空気は水平面内で回転する吹出口から室内に放出される。吹出口から放出される正イオン及び負イオンによって空気中の浮遊菌や臭気成分を破壊し、室内の殺菌や脱臭を行うことができる。
【先行技術文献】
【特許文献】
【０００８】
【特許文献１】特開２０１０−２６６１３９号公報
【発明の概要】
【発明が解決しようとする課題】
【０００９】
しかしながら、上記従来のイオン発生装置は２個のダクト各々に流通する空気に正イオン及び負イオンの双方を含ませているので、正イオン及び負イオンがダクトを流通する間に互いに衝突する。このため、衝突によりイオンが消滅する中和失活が生じてイオンの放出量が減少し、室内の殺菌や脱臭の効果を十分得ることができない問題があった。また、正イオン及び負イオンを完全に分離して放出すると、室内に正イオン及び負イオンのアンバランスな領域が生じてしまうことが課題となっていた。
【００１０】
本発明は、上記の点に鑑みなされたものであり、正イオン及び負イオンの放出量を増加させることができ、室内の広範囲にわたって均一に正イオン及び負イオンを放出することが可能なイオン発生装置及びイオン発生方法を提供することを目的とする。
【課題を解決するための手段】
【００１１】
上記の課題を解決するため、本発明のイオン発生装置は、互いが別の方向を向く正イオン用吹出口及び負イオン用吹出口を少なくとも１つずつ開口する筐体と、正電圧が印加される正放電電極の放電により正イオンを発生する正イオン発生部と、負電圧が印加される負放電電極の放電により負イオンを発生する負イオン発生部と、前記正イオン用吹出口及び前記正イオン発生部を有する正イオン用送風ダクトと、前記負イオン用吹出口及び前記負イオン発生部を有する負イオン用送風ダクトと、前記正イオン用送風ダクト及び前記負イオン用送風ダクトに気流を流通させる送風ファンと、前記正イオン用吹出口と前記負イオン用吹出口との位置を入れ替えるように前記筐体を回転させる変位モータと、を備えることを特徴としている。
【００１２】
この構成によれば、送風ファンを駆動することで正イオン用送風ダクト及び負イオン用送風ダクトに気流が流通する。正放電電極の放電により正イオン発生部から発生する正イオンは正イオン用送風ダクトを流通する気流に含まれ、正イオン用吹出口から室内に放出される。負放電電極の放電により負イオン発生部から発生する負イオンは負イオン用送風ダクトを流通する気流に含まれ、負イオン用吹出口から室内に放出される。変位モータを駆動することで互いが別方向を向くとともに位置を入れ替えるように変位する正イオン用吹出口、負イオン用吹出口から放出された正イオン及び負イオンにより室内の浮遊菌や臭気成分が破壊され、殺菌や脱臭が行われる。
【００１３】
また、上記構成のイオン発生装置において、複数組の対をなす前記正イオン用吹出口と前記負イオン用吹出口とを備え、前記筐体の回転軸線を中心とする円上に前記複数組の前記正イオン用吹出口と前記負イオン用吹出口とを交互に配置したことを特徴としている。
【００１４】
この構成によれば、変位モータを駆動することで筐体が回転し、複数組の対をなす正イオン用吹出口と負イオン用吹出口とから正イオン及び負イオンが次々と放出される。正イオン及び負イオンの放出量が一層増加する。
【００１５】
また、上記構成のイオン発生装置において、前記正イオン用吹出口と前記負イオン用吹出口とが互いに反対方向を向くことを特徴としている。
【００１６】
この構成によれば、正イオン用吹出口から放出される正イオンと負イオン用吹出口から放出される負イオンとが互いに反対方向に向かって放出される。正イオン及び負イオンが衝突する機会が減少して正イオン及び負イオンの放出量が一層増加する。
【００１７】
また、上記の課題を解決するため、本発明のイオン発生方法は、正イオンを含む気流と負イオンを含む気流とを個別に２個の送風ダクトに流通させ、正イオンを含む気流と負イオンを含む気流とを互いに別の方向に向かって前記送風ダクトから放出させ、正イオンを含む気流を放出する正イオン用吹出口と負イオンを含む気流を放出する負イオン用吹出口との位置を入れ替えるように前記正イオン用吹出口及び前記負イオン用吹出口を変位させることを特徴としている。
【００１８】
この方法によれば、正イオンを含む気流と負イオンを含む気流とが個別に流通して互いに別方向に向かって放出される。互いに位置を入れ替えるように変位する正イオン用吹出口、負イオン用吹出口から放出された正イオン及び負イオンにより室内の浮遊菌や臭気成分が破壊され、殺菌や脱臭が行われる。
【発明の効果】
【００１９】
本発明の構成によれば、正イオン用送風ダクトに正イオン発生部を配置して負イオン用送風ダクトに負イオン発生部を配置するとともに、正イオン用吹出口及び負イオン用吹出口が互いに別方向を向くようにしたので、正イオンと負イオンとの衝突による中和失活を低減させることができる。また、正イオン用吹出口及び負イオン用吹出口の位置を入れ替えるように正イオン用吹出口及び負イオン用吹出口を変位させるので、正イオン及び負イオンを室内にバランス良く放出することができる。したがって、正イオン及び負イオンの放出量を増加させることができ、室内の広範囲にわたって均一に正イオン及び負イオンを放出することが可能なイオン発生装置及びイオン発生方法を提供することができる。
【図面の簡単な説明】
【００２０】
【図１】本発明の第１の実施形態に係るイオン発生装置の概略外観斜視図である。
【図２】本発明の第１の実施形態に係るイオン発生装置の垂直断面正面図である。
【図３】本発明の第１の実施形態に係るイオン発生装置の垂直断面側面図である。
【図４】本発明の第１の実施形態に係るイオン発生装置のイオン発生器の外観斜視図である。
【図５】本発明の第１の実施形態に係るイオン発生装置のイオン発生器の回路図である。
【図６】本発明の第１の実施形態に係るイオン発生装置による室内の所定測定点におけるイオン濃度の時間変化を示す説明図である。
【図７】本発明の第１の実施形態に係るイオン発生装置による室内６箇所の測定点におけるイオン数の測定結果を示す説明図である。
【図８】本発明の第１の実施形態に係るイオン発生装置の本体変位回転数を変更したときのイオン濃度の時間変化を示す説明図である。
【図９】本発明の第１の実施形態に係るイオン発生装置の本体変位回転数を変更したときのイオン濃度の比較を示す説明図である。
【図１０】本発明の第２の実施形態に係るイオン発生装置の概略外観斜視図である。
【発明を実施するための形態】
【００２１】
以下、本発明の実施形態を図１〜図１０に基づき説明する。
【００２２】
最初に、本発明の第１の実施形態に係るイオン発生装置について、図１〜図３を用いてその構造の概略を説明する。図１はイオン発生装置の概略外観斜視図、図２はイオン発生装置の垂直断面正面図、図３はイオン発生装置の垂直断面側面図である。図１の実線矢印はイオン発生装置の本体筐体の回転方向を示し、図１及び図２の白抜き矢印はイオン発生装置による空気の流通経路及び流通方向を示している。
【００２３】
イオン発生装置１は、図１〜図３に示すように矩形箱形をなす本体筐体２と、本体筐体２の下方に配置された台座部３とを備えている。
【００２４】
本体筐体２は下部に開口する正イオン用吸込口１１及び負イオン用吸込口２１と、上部に開口する正イオン用吹出口１２及び負イオン用吹出口２２とを備えている。本体筐体２は上下に縦長に延びる矩形箱形をなし、台座部３の上面に立設されている。
【００２５】
台座部３はその円形の回転テーブル部３ａの上面に本体筐体２が設置されて、本体筐体２を支持している。回転テーブル部３ａは上下方向に延びる回転軸線を中心に水平面内で回転する。
【００２６】
本体筐体２の内部には、図２に示すように正イオン用吸込口１１及び正イオン用吹出口１２を有する正イオン用送風ダクト１０と、負イオン用吸込口２１及び負イオン用吹出口２２を有する負イオン用送風ダクト２０とが左右に並置されている。本体筐体２の下部であって正イオン用吸込口１１及び負イオン用吸込口２１の近傍には送風ファン４が設けられている。送風ファン４は正イオン用吸込口１１及び負イオン用吸込口２１から吸い込んだ空気を正イオン用吹出口１２及び負イオン用吹出口に向かって流通させる。
【００２７】
送風ファン４の上方であって空気流通方向下流側にはイオン発生器３０が配置されている。イオン発生器３０により発生するイオンは正イオン用送風ダクト１０、負イオン用送風ダクト２０を流通する気流に含ませられる。また、本体筐体２の内部には不図示の制御基板が設けられている。また、イオン発生装置１は不図示のバッテリーまたは電源プラグを備え、バッテリーまたは商用交流電源から電力の供給を受け、動作する。
【００２８】
続いて、イオン発生装置１の詳細な構成について、図１〜図３に加えて図４及び図５を用いて説明する。図４はイオン発生器３０の外観斜視図、図５はイオン発生器３０の回路図である。
【００２９】
正イオン用送風ダクト１０は、図２に示すように本体筐体２の一側面の下部に開口する正イオン用吸込口１１と同じ側面の上部に開口する正イオン用吹出口１２とを連通させている。正イオン用吸込口１１及び正イオン用吹出口１２とはともに正イオン用送風ダクト１０の内部と本体筐体２の外部とを連通させている。正イオン用吸込口１１には塵埃を捕集する集塵フィルタ１３及び複数の通気孔を開口した通気板１４が配置されている。
【００３０】
負イオン用送風ダクト２０は、図２に示すように本体筐体２の正イオン用吸込口１１に対向した側面の下部に開口する負イオン用吸込口２１と同じ側面の上部に開口する負イオン用吹出口２２とを連通させている。正イオン用吹出口１２と負イオン用吹出口２２とが互いに反対方向を向いている。負イオン用吸込口２１及び負イオン用吹出口２２とはともに負イオン用送風ダクト２０の内部と本体筐体２の外部とを連通させている。負イオン用吸込口２１には塵埃を捕集する集塵フィルタ２３及び複数の通気孔を開口した通気板２４が配置されている。
【００３１】
正イオン用送風ダクト１０及び負イオン用送風ダクト２０には送風ファン４が配置されている。送風ファン４は例えばシロッコファンから成り、共通のファンモータ４ａにより駆動される２つの羽根車４ｂ、４ｃが同軸に設けられている。羽根車４ｂは不図示の吸気口が正イオン用吸込口１１に面して正イオン用送風ダクト１０内に配置されている。羽根車４ｃは不図示の吸気口が負イオン用吸込口２１に面して負イオン用送風ダクト２０内に配置されている。ファンモータ４ａによって羽根車４ｂ、４ｃが回転すると、正イオン用送風ダクト１０及び負イオン用送風ダクト２０に気流が流通する。なお、本実施形態では送風ファン４をシロッコファンとしたが、プロペラファンやターボファン形式の送風ファンであっても良い。
【００３２】
イオン発生器３０は、図２及び図３に示すように送風ファン４に対して空気流通方向下流側であって正イオン用吹出口１２及び負イオン用吹出口２２の下方に配置されている。イオン発生器３０はイオンを放出するための放電に用いる放電電極３１やその他電子部品がハウジングに設けられ、例えば図４に示すようにパッケージ化されている。
【００３３】
イオン発生器３０は正イオン用送風ダクト１０及び負イオン用送風ダクト２０に臨む一対の正放電電極３１Ｐ及び負放電電極３１Ｎを備えている。イオン発生器３０は正イオン用送風ダクト１０及び負イオン用送風ダクト２０の内部を流通する空気に対して正放電電極３１Ｐ及び負放電電極３１Ｎで放電により発生させた正イオン及び負イオンを含ませるようにそれらを放出する。
【００３４】
イオン発生器３０は例えば図５に示す回路で構成されている。イオン発生器３０は回路部３２、正イオン発生部３３Ｐ及び負イオン発生部３３Ｎを備えている。回路部３２は外部から電力供給を受けて高圧の電気パルスを生成する高圧電気発生回路を備えている。
【００３５】
正イオン発生部３３Ｐは正放電電極３１Ｐと正誘導電極３４Ｐとを備え、負イオン発生部３３Ｎは負放電電極３１Ｎと負誘導電極３４Ｎとを備えている。正放電電極３１Ｐ及び負放電電極３１Ｎは各々針状に形成されて所定の間隔で並べて配置されている。正誘導電極３４Ｐは正放電電極３１Ｐを中心とする環状に形成され、正放電電極３１Ｐに対向している。同様に、負誘導電極３４Ｎは負放電電極３１Ｎを中心とする環状に形成され、負放電電極３１Ｎに対向している。
【００３６】
正イオン発生部３３Ｐ及び負イオン発生部３３Ｎはともに同じ構造であり、各々の正放電電極３１Ｐ、負放電電極３１Ｎに高圧電気発生回路で生成された高電圧が供給されて各々正誘導電極３４Ｐ、負誘導電極３４Ｎとの間で放電を発生させ、イオンを放出する。
【００３７】
ここで、イオン発生器３０の正放電電極３１Ｐ、負放電電極３１Ｎには交流波形またはインパルス波形から成る電圧が印加される。正放電電極３１Ｐには正電圧が印加され、コロナ放電による水素イオンが空気中の水分と結合して主としてＨ+（Ｈ2Ｏ）ｍから成る正イオンを発生する。負放電電極３１Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、正イオン用送風ダクト１０において正イオンを発生して正イオン用吹出口１２から放出し、負イオン用送風ダクト２０において負イオンを発生して負イオン用吹出口２２から放出することにより、例えば室内の殺菌や脱臭を行うことができる。
【００３９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４０】
なお、本実施形態ではイオン発生器３０によって正イオン及び負イオンを発生しているが、正イオンのみまたは負イオンのみを発生しても良い。
【００４１】
また、本発明において、イオンには帯電微粒子水も含むものとする。このとき、イオン発生器３０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００４２】
台座部３はイオン発生装置１の回転動作を可能にするために本体筐体２の下方に設けられている。台座部３は、図２及び図３に示すように回転テーブル部３ａ、ベース部３ｂ、このベース部３ｂ内に設けられた変位モータ３ｃ及びギア機構３ｄを備えている。
【００４３】
床面上に設置された平面視円形をなすベース部３ｂに対して、同じく平面視円形をなす回転テーブル部３ａが回転可能に支持されている。回転テーブル部３ａは径方向中心に配置された上下方向に延びる回転軸３ｅの軸線を中心に水平面内で回転する。回転テーブル部３ａの上面は平面をなし、本体筐体２を支持している。
【００４４】
回転テーブル部３ａはギア機構３ｄを介して変位モータ３ｃに連結されている。イオン発生装置１は変位モータ３ｃを駆動すると、本体筐体２を回転軸３ｅの周りに回動させる回転動作を実現する。これにより、正イオン用吹出口１２及び負イオン用吹出口２２の位置を入れ替えるように本体筐体２が回転する。
【００４５】
上記構成のイオン発生装置１において不図示の運転スイッチが操作されて送風運転が指示されると、送風ファン４、イオン発生器３０及び変位モータ３ｃが駆動される。これにより、本体筐体２は正イオン用吸込口１１及び負イオン用吸込口２１を介してイオン発生装置１外部の室内の空気を正イオン用送風ダクト１０及び負イオン用送風ダクト２０に吸い込む。空気に含まれる塵埃は集塵フィルタ１３、２３により捕集される。
【００４６】
塵埃を除去して正イオン用送風ダクト１０を流通する空気には正イオン発生部３３Ｐにより発生した正イオンが含まれ、正イオン用吹出口１２から放出される。塵埃を除去して負イオン用送風ダクト２０を流通する空気には負イオン発生部３３Ｎにより発生した負イオンが含まれ、負イオン用吹出口２２から放出される。正イオン用吹出口１２と負イオン用吹出口２２とは互いに別方向を向くので、正イオン及び負イオンは別方向に向かって放出される。
【００４７】
また、送風ファン４の運転に合わせて変位モータ３ｃを有する台座部３が本体筐体２の回転動作を開始する。これにより、正イオン用吹出口１２と負イオン用吹出口２２とが互いの位置を入れ替えるように回転軸３ｅの軸線を中心に水平面内で回転しながら正イオン及び負イオンを含む空気を放出する。したがって、正イオンと負イオンとが正イオン用送風ダクト１０と負イオン用送風ダクト２０とに隔離して流通するとともに回転する正イオン用吹出口１２及び負イオン用吹出口２２から別方向に向けて放出されるため、イオンの中和失活を低減させて送出量を増加させることができ、室内にバランス良く放出することができる。
【００４８】
そして、正イオン用吹出口１２から放出される正イオンと負イオン用吹出口２２から放出される負イオンとによって空気中の浮遊菌や臭気成分を破壊し、室内の殺菌や脱臭が行われる。
【００４９】
続いて、上記構成のイオン発生装置１を駆動したときの室内のイオン濃度の測定結果について、図６〜図９を用いて説明する。図６はイオン発生装置１による室内の所定測定点におけるイオン濃度の時間変化を示す説明図、図７はイオン発生装置１による室内６箇所の測定点におけるイオン数の測定結果を示す説明図、図８はイオン発生装置１の本体変位回転数を変更したときのイオン濃度の時間変化を示す説明図、図９はイオン発生装置１の本体変位回転数を変更したときのイオン濃度の比較を示す説明図である。
【００５０】
ここで、上記構成のイオン発生装置１の比較対象となる従来装置について説明する。イオン発生装置１の従来装置は単一の送風ダクトを備え、送風ダクト内を流通する空気に正イオン及び負イオンの双方を含ませる構造をなしている。そして、その従来装置は上面に設けた２か所の吹出口各々から正イオン及び負イオンの双方を含む空気を室内に放出している。実験に際して、従来装置は１台を室内の中央に配置して、風量を１．５ｍ3／ｍｉｎにして駆動させた。
【００５１】
最初に、イオン発生装置１は１台を室内の中央に配置して、本体筐体２を回転変位させる回転数を１５ｒｐｍにし、風量を１．５ｍ3／ｍｉｎにして駆動させた。このときの室内の所定測定点におけるイオン濃度の時間変化を図６に示している。図６は、横軸が時間を示し、縦軸がイオン濃度を示し、実線波形が測定点におけるイオン濃度の時間変化を表している。図６によれば、１５ｒｐｍの本体筐体２の回転に同期してイオン濃度が増減していることが分かる。
【００５２】
そして、室内６箇所の測定点におけるイオン数の測定結果を図７に示している。図７は従来装置と比較して正イオン数及び負イオン数が何倍になっているかを従来比として記載している。図７によれば、室内６箇所の測定点におけるイオン濃度がすべて増加しており、平均して従来比２．８３倍に増加していることが分かる。
【００５３】
次に、イオン発生装置１の本体筐体２を回転変位させる回転数を１０ｒｐｍ、１５ｒｐｍ、３０ｒｐｍに変更して駆動させた。このときの室内の所定測定点におけるイオン濃度の時間変化を図８に示している。図８は、横軸が時間を示し、縦軸がイオン濃度を示し、３種類の波形が各回転数の場合の測定点におけるイオン濃度の時間変化を表している。図８によれば、１０ｒｐｍ（短破線波形）、１５ｒｐｍ（実線波形）、３０ｒｐｍ（長破線波形）各々の本体筐体２の回転に同期してイオン濃度が増減していることが分かる。
【００５４】
そして、本体筐体２を回転変位させる回転数を変更したときのイオン濃度の比較結果を図９に示している。図９は従来装置と比較してイオン濃度が何倍になっているかを従来比として記載している。図９によれば、１５ｒｐｍのときのイオン濃度が従来比６．１２倍に増加しており、さらに１０ｒｐｍ、３０ｒｐｍと比較して最も高いイオン濃度であることが分かる。
【００５５】
上記のように、イオン発生装置１は正イオン用吹出口１２及び正イオン発生部３３Ｐを有する正イオン用送風ダクト１０と、負イオン用吹出口２２及び負イオン発生部３３Ｎを有する負イオン用送風ダクト２０と、互いが別の方向を向く正イオン用吹出口１２と負イオン用吹出口２２との位置を入れ替えるように本体筐体２を回転させる変位モータ３ｃと、を備えている。これにより、室内のある点に対して、正イオン用吹出口１２と負イオン用吹出口２２とが交互に向くことになり、正イオン及び負イオンが一定の時間間隔で届く。したがって、正イオン及び負イオンを室内にバランス良く放出させて拡散させることができる。また、正イオン及び負イオンはある位置において一方のイオンが放出されるまでにその同じ位置において先に放出された他方のイオンが拡散されているので、衝突によりイオンが消滅する中和失活を低減させることが可能である。そして、正イオン及び負イオンにより室内の浮遊菌や臭気成分を破壊し、殺菌や脱臭を行うことができる。
【００５６】
また、正イオン用吹出口１２と負イオン用吹出口２２とが互いに反対方向を向いているので、正イオン用吹出口１２から放出される正イオンと負イオン用吹出口２２から放出される負イオンとが互いに反対方向に向かって放出される。したがって、正イオン及び負イオンが衝突する機会が減少して正イオン及び負イオンの放出量を一層増加することができる。
【００５７】
そして、本発明の上記実施形態の構成によれば、正イオン及び負イオンの放出量を増加させることができ、室内の広範囲にわたって均一に正イオン及び負イオンを放出することが可能なイオン発生装置１及びイオン発生方法を提供することができる。
【００５８】
次に、本発明の第２の実施形態に係るイオン発生装置について、図１０を用いて説明する。図１０はイオン発生装置の概略外観斜視図である。図１０の実線矢印はイオン発生装置の本体筐体の回転方向を示し、白抜き矢印はイオン発生装置による空気の流通方向を示している。なお、この実施形態の基本的な構成は図１〜図９を用いて説明した前記第１の実施形態と同じであるので、第１の実施形態と共通する構成要素には前と同じ符号を付し、図面の記載及びその説明を省略するものとする。
【００５９】
第２の実施形態に係るイオン発生装置１０１は、図１０に示すように４つの矩形箱体１０２ａ、１０２ｂ、１０２ｃ、１０２ｄを有する本体筐体１０２と、本体筐体１０２の下方に配置されて本体筐体１０２を回転させる台座部１０３とを備えている。
【００６０】
本体筐体１０２は上下に縦長に延びる４つの矩形箱体１０２ａ〜１０２ｄを有し、台座部１０３の上面に立設されている。４つの矩形箱体１０２ａ〜１０２ｄは本体筐体１０２の回転軸線を中心とする円上に９０°間隔ごとに配置されている。
【００６１】
４つの矩形箱体１０２ａ〜１０２ｄには第１正イオン用送風ダクト１１０、第１負イオン用送風ダクト１２０、第２正イオン用送風ダクト１３０及び第２負イオン用送風ダクト１４０が設けられている。
【００６２】
第１正イオン用送風ダクト１１０は第１正イオン用吸込口１１１及び第１正イオン用吹出口１１２を有する。第１負イオン用送風ダクト１２０は第１負イオン用吸込口１２１及び第１負イオン用吹出口１２２を有する。第２正イオン用送風ダクト１３０は第２正イオン用吸込口１３１及び第２正イオン用吹出口１３２を有する。第２負イオン用送風ダクト１４０は第２負イオン用吸込口１４１及び第２負イオン用吹出口１４２を有する。
【００６３】
すなわち、イオン発生装置１０１は第１正イオン用吹出口１１２と第１負イオン用吹出口１２２とからなる組と、第２正イオン用吹出口１３２と第２負イオン用吹出口１４２とからなる組との２組の対をなす正イオン用吹出口と負イオン用吹出口とを備えている。２組の対をなす正イオン用吹出口と負イオン用吹出口とは本体筐体２の回転軸線を中心とする円上に交互に配置されている。すなわち、上方から見ると、反時計回りに第１正イオン用吹出口１１２、第１負イオン用吹出口１２２、第２正イオン用吹出口１３２、第２負イオン用吹出口１４２の順に９０°間隔ごとに配置されている。
【００６４】
この構成によれば、変位モータ（図１０では不図示）を駆動することで本体筐体１０２が回転し、２組の対をなす正イオン用吹出口と負イオン用吹出口とから正イオン及び負イオンが次々と放出される。したがって、正イオン及び負イオンの放出量を一層増加させることが可能である。
【００６５】
以上、本発明の実施形態につき説明したが、本発明の範囲はこれに限定されるものではなく、発明の主旨を逸脱しない範囲で種々の変更を加えて実施することができる。
【００６６】
例えば、上記第１の実施形態では正イオン用吹出口１２と負イオン用吹出口２２とは互いに正反対の方向を向くように構成しているが、別の方向を向く構成であれば他の配置であっても良い。正イオン用吹出口１２と負イオン用吹出口２２とは、例えば上方から見て９０°などの角度をなす配置で構成しても良い。
【産業上の利用可能性】
【００６７】
本発明は、正イオン及び負イオンを発生させて空気中に放出するイオン発生装置及びイオン発生方法において利用可能である。
【符号の説明】
【００６８】
１、１０１    イオン発生装置
２、１０２    本体筐体（筐体）
３、１０３    台座部
３ａ    回転テーブル部
３ｃ    変位モータ
３ｅ    回転軸
４    送風ファン
１０    正イオン用送風ダクト
１１    正イオン用吸込口
１２    正イオン用吹出口
１３    集塵フィルタ
１４    通気板
２０    負イオン用送風ダクト
２１    負イオン用吸込口
２２    負イオン用吹出口
２３    集塵フィルタ
２４    通気板
３０    イオン発生器
３１Ｐ    正放電電極
３１Ｎ    負放電電極
３３Ｐ    正イオン発生部
３３Ｎ    負イオン発生部
１１０    第１正イオン用送風ダクト
１１１    第１正イオン用吸込口
１１２    第１正イオン用吹出口
１２０    第１負イオン用送風ダクト
１２１    第１負イオン用吸込口
１２２    第１負イオン用吹出口
１３０    第２正イオン用送風ダクト
１３１    第２正イオン用吸込口
１３２    第２正イオン用吹出口
１４０    第２負イオン用送風ダクト
１４１    第２負イオン用吸込口
１４２    第２負イオン用吹出口
【図１】
2013191476.tif 000003
【図２】
2013191476.tif 000004
【図３】
2013191476.tif 000005
【図４】
2013191476.tif 000006
【図５】
2013191476.tif 000007
【図６】
2013191476.tif 000008
【図７】
2013191476.tif 000009
【図８】
2013191476.tif 000010
【図９】
2013191476.tif 000011
【図１０】
2013191476.tif 000012